(57)【要約】【課題】発電効率の小さい領域で発電機が発電することを抑制する。【解決手段】駆動輪９０を駆動する駆動モータ４０に供給する電力を得る発電機１０の発電を制御する制御装置１００は、要求負荷に応じて、予め設定された発電機１０の発電出力範囲の上限値及び下限値の少なくとも一方を変更する出力範囲変更部１２４と、変更後の発電出力範囲の中で、発電機１０の発電を制御する発電制御部１２５と、を備える。【選択図】図２
2017202800.tif 000002
【特許請求の範囲】
【請求項１】
被駆動体を駆動する駆動モータに供給する電力を得る発電機の発電を制御する発電制御装置であって、
要求負荷に応じて、予め設定された前記発電機の出力範囲の上限値及び下限値の少なくとも一方を変更する範囲変更部と、
変更後の出力範囲の中で、前記発電機の発電を制御する発電制御部と、
を備える、発電制御装置。
【請求項２】
前記範囲変更部は、前記要求負荷の所定割合に対応するように、前記上限値と前記下限値を変更する、
請求項１に記載の発電制御装置。
【請求項３】
前記範囲変更部は、要求負荷に応じて、前記出力範囲の前記上限値及び前記下限値の両方を変更する、
請求項１又は２に記載の発電制御装置。
【請求項４】
充放電可能なバッテリーの電池容量を取得する容量取得部を更に備え、
前記範囲変更部は、前記電池容量に応じて、前記出力範囲の前記上限値及び前記下限値の両方を変更する、
請求項１から３のいずれか１項に記載の発電制御装置。
【請求項５】
前記被駆動体は、車両の駆動輪であり、
前記発電機は、前記車両の内燃機関を原動機として有する、
請求項１から４のいずれか１項に記載の発電制御装置。
【請求項６】
被駆動体を駆動する駆動モータに供給する電力を得る発電機の発電を制御する発電制御方法であって、
要求負荷に応じて、予め設定された前記発電機の出力範囲の上限値及び下限値の少なくとも一方を変更するステップと、
変更後の出力範囲の中で、前記発電機の発電を制御するステップと、
を有する、発電制御方法。
【発明の詳細な説明】
【技術分野】
【０００１】
本発明は発電制御装置及び発電制御方法に関する。
【背景技術】
【０００２】
被駆動体を駆動する駆動モータに電力を供給する発電機の発電を制御する発電制御システムとして、例えば駆動輪を駆動モータで駆動させるシリーズ型ハイブリット車において、走行中に駆動モータへ電力を供給する発電機の発電制御が行われている。発電機は、駆動モータへの電力の供給に加えて、バッテリーの充電も行う。
【先行技術文献】
【特許文献】
【０００３】
【特許文献１】特開２０１０−１４３３１０号公報
【発明の概要】
【発明が解決しようとする課題】
【０００４】
ところで、発電機は、負荷に応じて発電が大きくなる特性を有する。また、発電機においては、発電効率が一定ではなく、出力範囲の中で発電効率が小さい領域が存在する。例えば、低速走行時等の低負荷時には、発電量が少ないため発電機の発電効率が悪くなる。このため、負荷に応じて発電機が発電する際には、発電効率の小さい領域で発電機が発電を行う恐れがある。
【０００５】
そこで、本発明はこれらの点に鑑みてなされたものであり、発電効率の小さい領域で発電機が発電することを抑制することを目的とする。
【課題を解決するための手段】
【０００６】
本発明の第１の態様においては、被駆動体を駆動する駆動モータに供給する電力を得る発電機の発電を制御する発電制御装置であって、要求負荷に応じて、予め設定された前記発電機の出力範囲の上限値及び下限値の少なくとも一方を変更する範囲変更部と、変更後の出力範囲の中で、前記発電機の発電を制御する発電制御部と、を備える、発電制御装置を提供する。
かかる発電制御装置によれば、発電機の発電効率が小さい領域を避けるように発電出力範囲の上限値及び下限値の少なくとも一方を変更することで、負荷の大きさに追従して発電する発電機が発電効率の小さい領域で発電することを抑制できる。
【０００７】
また、前記範囲変更部は、前記要求負荷の所定割合に対応するように、前記上限値と前記下限値を変更することとしてもよい。
【０００８】
また、前記範囲変更部は、要求負荷に応じて、前記出力範囲の前記上限値及び前記下限値の両方を変更することとしてもよい。
【０００９】
また、前記発電制御装置は、充放電可能なバッテリーの電池容量を取得する容量取得部を更に備え、前記範囲変更部は、前記電池容量に応じて、前記出力範囲の前記上限値及び前記下限値の両方を変更することとしてもよい。
【００１０】
また、前記被駆動体は、車両の駆動輪であり、前記第１発電機及び前記第２発電機は、前記車両の内燃機関を原動機として有することとしてもよい。
【００１１】
本発明の第２の態様においては、被駆動体を駆動する駆動モータに供給する電力を得る発電機の発電を制御する発電制御方法であって、要求負荷に応じて、予め設定された前記発電機の出力範囲の上限値及び下限値の少なくとも一方を変更するステップと、変更後の出力範囲の中で、前記発電機の発電を制御するステップと、を有する、発電制御方法を提供する。
かかる発電制御方法によれば、発電機の発電効率が小さい領域を避けるように発電出力範囲の上限値及び下限値の少なくとも一方を変更することで、負荷の大きさに追従して発電する発電機が発電効率の小さい領域で発電することを抑制できる。
【発明の効果】
【００１２】
本発明によれば、発電効率の小さい領域で発電機が発電することを抑制できるという効果を奏する。
【図面の簡単な説明】
【００１３】
【図１】本発明の一の実施形態に係る発電制御システムＳの構成の一例を示す模式図である。
【図２】発電機１０の発電電力量と発電効率の関係を示す図である。
【図３】制御装置１００の詳細構成を示すブロック図である。
【図４】バッテリー２０のＳＯＣの大きさと発電出力範囲の下限値及び上限値との関係を説明するための図である。
【図５】図４の表をグラフ化したものである。
【図６】発電出力範囲の変更処理の一例を示すフローチャートである。
【発明を実施するための形態】
【００１４】
＜発電制御システムの構成＞
図１を参照しながら、本発明の一の実施形態に係る発電制御システムＳの構成について説明する。
【００１５】
図１は、一の実施形態に係る発電制御システムＳの構成の一例を示す模式図である。発電制御システムＳは、例えばトラック等の車両に搭載されている。車両は、ここでは駆動輪を駆動モータで駆動させるシリーズ型ハイブリット車である。発電制御システムＳは、図１に示すように、発電機１０と、バッテリー２０と、インバータ３０と、駆動モータ４０と、制御装置１００とを有する。
【００１６】
発電機１０は、発電を行い駆動モータ４０に供給する電力を得る。発電機１０は、車両の走行状態に応じて、発電電力量を変える。また、発電機１０は、車両の走行状態に応じて、駆動モータ４０に電力を供給するのに加えて、バッテリー２０を充電する。
【００１７】
発電機１０は、エンジン１１と発電モータ１２とを含む。エンジン１１は、内燃機関であり、ここではディーゼルエンジンであるが、ガソリンエンジンであってもよい。発電モータ１２は、エンジン１１の駆動軸に連結されており、エンジン１１により駆動される。発電機１０は、予め設定された発電出力範囲の中で、負荷の大きさに追従するように発電を行う。
【００１８】
バッテリー２０は、充放電可能な蓄電池である。バッテリー２０は、発電機１０によって充電される。バッテリー２０は、放電して駆動モータ４０に電力を供給する。例えば、発電機１０が駆動モータ４０に供給する電力量が不足している場合には、バッテリー２０が駆動モータ４０に電力を供給する。
【００１９】
インバータ３０は、バッテリー２０と駆動モータ４０の間に設けられ、直流電力と交流電力を変換する。例えば、インバータ３０は、バッテリー２０からの出力を変換して、駆動モータ４０に供給する。
【００２０】
駆動モータ４０は、被駆動体である車両の駆動輪９０を駆動させて、車両を走行させる。例えば、駆動モータ４０は、発電機１０からの電力や、バッテリー２０からの電力を受けて、駆動輪９０を駆動させる。なお、車両の減速時に駆動モータ４０が発生する回生電力は、バッテリー２０に充電される。
【００２１】
制御装置１００は、発電制御システムＳの動作全体を制御する。例えば、制御装置１００は、エンジン１１と、バッテリー２０と、インバータ３０の動作を制御する。本実施形態では、制御装置１００は、発電機１０の発電を制御する発電制御装置の機能を有する。
【００２２】
ところで、発電機１０は、負荷に応じて発電が大きくなる特性を有する。また、発電機１０においては、発電出力範囲で発電効率が一定ではなく、発電効率が小さい領域が存在する。そして、例えば低速走行時等の低負荷時には、駆動モータ４０に供給すべき電力量が小さいため、発電機１０の発電効率が悪くなる。
【００２３】
図２は、発電機１０の発電電力量と発電効率の関係を示す図である。なお、図２は、バッテリー２０の電池容量（残量）を一定とした場合の発電効率を示している。図２を見ると分かるように、発電機１０の発電効率は、発電電力量が電力量Ｅ１よりも小さい場合と、発電電力量が電力量Ｅ２よりも大きい場合とで悪化している。
【００２４】
そこで、本実施形態では、例えば図２の電力量Ｅ１と電力量Ｅ２の範囲内で発電機１０が発電するように、発電機１０の発電出力範囲を設定している。この場合、電力量Ｅ１が発電出力範囲の下限値に対応し、電力量Ｅ２が発電出力範囲の上限値に対応する。そして、発電出力範囲の上限値と下限値との中で発電機１０を発電させて、発電効率が悪くなることを抑制している。また、詳細は後述するが、負荷の大きさに追従する発電機１０の発電出力範囲の上限値及び下限値の少なくとも一方を、負荷の大きさに応じて変更することで、発電効率の悪化をより有効に抑制でき、又バッテリー２０の残量低下や満充電を抑制できる。
【００２５】
＜制御装置の詳細構成＞
図３を参照しながら、制御装置１００の詳細構成の一例について説明する。
図３は、制御装置１００の詳細構成を示すブロック図である。制御装置１００は、図３に示すように、記憶部１１０と、制御部１２０とを有する。
【００２６】
記憶部１１０は、例えばＲＯＭ（Read Only Memory）及びＲＡＭ（Random Access Memory）を含む。記憶部１１０は、制御部１２０が実行するためのプログラムや各種データを記憶する。例えば、記憶部１１０は、上述した発電出力範囲を記憶している。
【００２７】
制御部１２０は、例えばＣＰＵ（Central Processing Unit）である。制御部１２０は、記憶部１１０に記憶されたプログラムを実行することにより、発電制御システムＳの動作を制御する。本実施形態では、制御部１２０は、負荷取得部１２２と、容量取得部１２３と、出力範囲変更部１２４と、発電制御部１２５として機能する。
【００２８】
負荷取得部１２２は、要求負荷を取得する。例えば、負荷取得部１２２は、車両の走行中に、アクセルペダルの開度等に基づいて推定される要求負荷を取得する。また、要求負荷は、ここでは発電機１０の発電モータ１２の出力軸における負荷である。負荷取得部１２２は、取得した要求負荷に関する情報を出力範囲変更部１２４に出力する。
【００２９】
容量取得部１２３は、バッテリー２０の電池容量であるＳＯＣを取得する。例えば、容量取得部１２３は、現在のバッテリー２０の残量を取得する。容量取得部１２３は、取得した電池容量に関する情報を出力範囲変更部１２４に出力する。
【００３０】
出力範囲変更部１２４は、予め設定された発電機１０の発電出力範囲を変更する。発電出力範囲は、例えば記憶部１１０に記憶されており、出力範囲変更部１２４は、発電出力範囲の上限値と下限値の少なくとも一方を変更することで、発電出力範囲を変更する。例えば、出力範囲変更部１２４は、発電出力範囲を狭めたり広げたりし、又は発電出力範囲をスライドしたりする。
【００３１】
出力範囲変更部１２４は、負荷取得部１２２が取得した要求負荷に応じて、発電出力範囲の上限値と下限値を変更する。この際、出力範囲変更部１２４は、要求負荷の所定割合に対応するように、発電出力範囲の上限値と下限値を変更する。例えば、出力範囲変更部１２４は、上限値や下限値として、負荷取得部１２２が取得した要求負荷の所定割合の負荷に対応する出力値に変更する。
【００３２】
なお、発電機１０は、図２に示すように発電電力量が電力量Ｅ１よりも小さい場合と電力量Ｅ２よりも大きい場合とで発電効率が悪化する特性を有するので、発電出力範囲の上限値及び下限値を変更することが望ましい。しかし、例えば、発電機１０の発電効率が、発電電力量が大きい場合に悪化しない場合には、発電出力範囲の上限値を変更しなくてもよい。
【００３３】
また、出力範囲変更部１２４は、容量取得部１２３が取得したバッテリー２０のＳＯＣの大きさに応じて、発電出力範囲の上限値と下限値を変更する。かかる場合には、バッテリー２０のＳＯＣの大きさが所定範囲内に収まり、駆動モータ４０へ電力を供給する際に、バッテリー２０の残量が過大に低下したりバッテリー２０が満充電になったりすることを抑制できる。
【００３４】
ここで、図４及び図５を参照しながら、バッテリー２０のＳＯＣの大きさと発電出力範囲の下限値及び上限値との関係について説明する。
図４は、バッテリー２０のＳＯＣの大きさと発電出力範囲の下限値及び上限値との関係を説明するための図である。図５は、図４の表をグラフ化したものである。出力範囲変更部１２４は、ＳＯＣの大きさに応じて、負荷取得部１２２が取得した要求負荷に対応した上限値及び下限値に変更する。例えば、出力範囲変更部１２４は、ＳＯＣが４２．５（％）である場合には、下限値として要求負荷の３／１０の負荷に相当する出力値に変更し、上限値として要求負荷の７／１０の負荷に相当する出力値に変更する。
【００３５】
バッテリー２０のＳＯＣが７２．５（％）以下である場合には、ＳＯＣの大きさに応じて発電出力範囲が変化している。例えば、ＳＯＣが３７．５（％）である場合の発電出力範囲は、図５に示すように、ＳＯＣが６５．０（％）である場合の発電出力範囲よりも狭く、かつ出力値が大きくなるように上方にスライドしている。かかる場合には、ＳＯＣが小さくなると、発電機１０が高出力で発電することになり、駆動モータ４０に電力を供給すると共に、バッテリー２０も充電可能となる。この結果、バッテリー２０のＳＯＣの低下を抑制できる。特に、ＳＯＣが３７．５（％）よりも小さい場合には、要求負荷と同じ負荷に相当する出力値となるように発電機１０を発電させる。これにより、バッテリー２０の充電を優先して行える。
【００３６】
一方で、バッテリー２０のＳＯＣが７２．５（％）よりも大きい場合には、発電機１０を停止して発電させない。かかる場合には、駆動モータ４０には、バッテリー２０から電力が供給される。
【００３７】
図３に戻り、発電制御部１２５は、発電機１０の発電を制御する。発電制御部１２５は、出力範囲変更部１２４が変更した発電出力範囲の中で、発電機１０の発電を制御する。これにより、変更した発電出力範囲内に発電機１０の出力値が収まるので、発電機１０が発電効率の小さい領域で発電することを抑制できる。例えば、発電効率が小さくなりやすい低負荷時に、発電出力範囲の下限値を大きくすることで、負荷に追従する発電機１０が、発電出力範囲において発電効率の低い領域で発電することを抑制できる。
【００３８】
＜発電出力範囲の変更処理＞
図６を参照しながら、発電機１０の発電出力範囲の変更処理の一例について説明する。本処理は、制御装置１００の制御部１２０が記憶部１１０に記憶されたプログラムを実行することで実現される。
【００３９】
図６は、発電出力範囲の変更処理の一例を示すフローチャートである。
まず、制御部１２０の負荷取得部１２２は、要求負荷を取得する（ステップＳ１０２）。例えば、負荷取得部１２２は、車両の走行中に、アクセルペダルの開度等に基づいて推定される要求負荷を取得する。
【００４０】
次に、容量取得部１２３は、バッテリー２０のＳＯＣを取得する(ステップＳ１０４)。例えば、容量取得部１２３は、現在のバッテリー２０の残量を取得する。なお、上記では、ステップＳ１０２の処理の後にステップＳ１０４の処理を行うこととしたが、これに限定されず、例えば、ステップＳ１０４の処理の後にステップＳ１０２の処理を行ってもよい。
【００４１】
次に、出力範囲変更部１２４は、容量取得部１２３が取得したＳＯＣの大きさに応じて、発電機１０の発電出力範囲の上限値と下限値を変更する（ステップＳ１０６）。例えば、出力範囲変更部１２４は、負荷取得部１２２が取得した要求負荷の大きさに対応した上限値と下限値を変更する。
【００４２】
次に、発電制御部１２５は、出力範囲変更部１２４が変更した発電出力範囲に基づいて、発電機１０を発電させる（ステップＳ１０８）。すなわち、発電制御部１２５は、出力値が変更後の発電出力範囲内に収まるように、発電機１０を発電させる。
【００４３】
その後、制御部１２０は、発電を行っている際に（ステップＳ１１０：Ｎｏ）、ＳＯＣの大きさが変化した場合には、発電出力範囲の上限値と下限値を再度変更する（ステップＳ１０２〜Ｓ１０８）。これにより、車両の走行中のバッテリー２０のＳＯＣが適切な範囲で維持されるように、発電機１０が発電することになる。
【００４４】
＜本実施形態における効果＞
上述した本実施形態の制御装置１００は、要求負荷に応じて発電機１０の発電出力範囲の上限値及び下限値の少なくとも一方を変更し、変更後の発電出力範囲の中で発電機１０の発電を制御する。
かかる場合には、発電機１０の発電効率が小さい領域を避けるように発電出力範囲の上限値と下限値を変更することで、負荷の大きさに追従して発電する発電機１０が発電効率の小さい領域で発電することを抑制できる。また、本実施形態では、バッテリー２０のＳＯＣの大きさも考量して発電出力範囲を変更することで、駆動モータ４０へ電力を供給する際に、発電機１０を高効率で発電させると共に、バッテリー２０の電池容量を安定した状態に維持できる。
【００４５】
なお、上記では、発電制御システムＳが、トラック等の車両に搭載されていることとしたが、これに限定されない。例えば、発電制御システムＳは、車両以外の装置（例えば、発電装置、建設機械、船舶等）に搭載されてもよい。
【００４６】
また、上記では、発電機１０が、原動機として、内燃機関であるエンジン１１を有することとしたが、これに限定されない。例えば、発電機１０は、内燃機関以外の原動機を有することとしてもよい。
【００４７】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００４８】
１０    発電機
２０    バッテリー
４０    駆動モータ
１００    制御装置
１２０    制御部
１２３    容量取得部
１２４    出力範囲変更部
１２５    発電制御部
【図１】
2017202800.tif 000003
【図２】
2017202800.tif 000004
【図３】
2017202800.tif 000005
【図４】
2017202800.tif 000006
【図５】
2017202800.tif 000007
【図６】
2017202800.tif 000008